(57)【要約】      （修正有）【課題】ラッチボルトを後退操作するためのラッチ操作体が係合する第１係合部と、ドアをロックするロック機構を操作するためのロック操作体が係合する第２係合部とのスペーシングの異なる複数種のドア錠に変更可能とする。【解決手段】ラッチボルト６の後退を規制するロック位置と許容するロック解除位置とに位置変更可能なロックピース４０と、ロック撮みの操作によりロックピースを位置変更操作するロックハブ４２とをアジャス部材４３で支持し、アジャス部材を錠ケース４に上下位置調整可能に支持した。アジャスト部材を強制的に上下動させて、アジャスト部材に設けた弾性片４９の被係止部５０をケース本体１１に形成した複数の係止部５１のいずれかに選択的に係合させることにより、アジャスト部材が位置決めされ、レバーハブに形成された第１係合部３６とロックハブに形成された第２係合部６２とのスペーシングを調整可能とした。【選択図】図１
2008285853.tif 000002
【特許請求の範囲】
【請求項１】
ドア（２）に取り付けられる錠ケース（４）から出退自在に突出するラッチボルト（６）と、このラッチボルト（６）を後退操作するためのラッチ操作体（８）が係合する第１係合部（３６）と、ドア（２）をするロック機構（７）と、このロック機構（７）を操作するためのロック操作体（１０）が係合する第２係合部（６２）とを備え、前記第１係合部（３６）と第２係合部（６２）とのスペーシング（Ｓ）を調整可能としたことを特徴とするドア錠。
【請求項２】
前記ロック機構（７）は、ラッチボルト（６）の後退を規制することでドア（２）をロックするものであって、
ラッチボルト（６）の後退を規制するロック位置とラッチボルト（６）の後退を許容するロック解除位置とに位置変更可能なロックピース（４０）と、
第２係合部（６２）が設けられていてロック操作体（１０）によって操作されることでロックピース（４０）を位置変更操作するロックハブ（４２）と、
これらロックピース（４０）とロックハブ（４２）とを支持し且つ錠ケース（４）に位置調整可能に支持されたアジャスト部材（４３）とを備えてなり、
アジャスト部材（４３）を位置調整することにより、第１係合部（３６）と第２係合部（６２）とのスペーシング（Ｓ）が調整可能であることを特徴とする請求項１に記載のドア錠。
【請求項３】
ロック機構（７）をユニットとして錠ケース（４）に対して着脱自在としたことを特徴とする請求項１又は２に記載のドア錠。
【請求項４】
アジャスト部材（４３）に樹脂製の弾性片（４９）を設けると共に、錠ケース（４）に複数の係止部（５１）を設け、前記弾性片（４９）に、アジャスト部材（４３）を位置決めすべく前記係止部（５１）に係合し且つアジャスト部材（４３）強制的に動かすことにより弾性片（４９）が弾性変形して係止部（５１）から離脱する被係止部（５０）を設け、ラッチボルト（６）を後退させたときに該ラッチボルト（６）が前記弾性片（４９）に接当するよう構成したことを特徴とする請求項２又は３に記載のドア錠。
【発明の詳細な説明】
【技術分野】
【０００１】
本発明は、ドアに取り付けられるドア錠に関するものである。
【背景技術】
【０００２】
従来、図９（ａ）に示すように、ドア錠７６として、ドア７７の自由端側に彫り込んで取り付けられる錠ケース７８と、この錠ケース７８の正面から出退自在に突出してドア枠に設けた受孔に挿入されるラッチボルト７９と、錠ケース７８内に収納されていて前記ラッチボルト７９の後退を規制することでドア７７をロックするロック機構（図示省略）とを備えてなるものがある（特許文献１，２参照）。
また、図９（ｂ）に示すように、ドア７７の錠取付部分の表裏両側には、ラッチボルト７９を操作するためのハンドルレバー８０が配置され、該ハンドルレバー８０はドア７７に取り付けられた取付座８１に回動操作可能に支持されている。
【０００３】
また、前記ハンドルレバー８０を支持する取付座８１に、前記ロック機構を操作するロック撮み８２が設けられているものがある。
前記ドア錠７６には、ドア７７の厚さ方向の軸心を有する角孔からなる第１係合部８３と、同じくドア７７の厚さ方向の軸心を有する角孔からなる第２係合部８４とが設けられている。
第１係合部８３には、角棒８５がドア７７の厚さ方向に貫通状に挿通されていると共に、この角棒８５にハンドルレバー８０が連結されており、該ハンドルレバー８０を下方に回動操作することでラッチボルト７９が後退操作され、第２係合部８４には、ロック撮み８２に設けられた角軸８６が挿入され、ロック撮み８２を回動することによりロック機構が作動されてラッチボルト７９の後退動作が不能となるように構成されている。
【特許文献１】特開２００２−１２９７９６号公報
【特許文献２】特開２００３−２３９５９２号公報
【発明の開示】
【発明が解決しようとする課題】
【０００４】
前記従来のドア錠７６にあっては、第１係合部８３と第２係合部８４とのスペーシングＳ（第１係合部８３のハンドルレバー回動中心と第２係合部８４のロック撮み回動中心との距離）は一定（不変）であると共に、該第１係合部８３と第２係合部８４とのスペーシングＳは、錠メーカー毎に寸法が異なっており、例えば、建具屋等において、ドア錠７６をＡ社のものを採用し、ハンドルレバー８０，取付座８１，ロック撮み８２のユニットをＢ社のものを採用するということはできないという問題や、第１係合部８３と第２係合部８４とのスペーシングＳの異なる複数種の（錠メーカー各社の）ドア錠７６をストックしておく必要があるなどの問題があった。
【０００５】
そこで、本発明は、前記問題点を解消すべく、１つのドア錠で、第１係合部と第２係合部とのスペーシングの異なるドア錠に変更することができるドア錠を提供することを目的とする。
【課題を解決するための手段】
【０００６】
前記技術的課題を解決するために本発明が講じた技術的手段は、ドアに取り付けられる錠ケースから出退自在に突出するラッチボルトと、このラッチボルトを後退操作するためのラッチ操作体が係合する第１係合部と、ドアをするロック機構と、このロック機構を操作するためのロック操作体が係合する第２係合部とを備え、前記第１係合部と第２係合部とのスペーシングを調整可能としたことを特徴とする。
また、前記ロック機構は、ラッチボルトの後退を規制することでドアをロックするものであって、
ラッチボルトの後退を規制するロック位置とラッチボルトの後退を許容するロック解除位置とに位置変更可能なロックピースと、
第２係合部が設けられていてロック操作体によって操作されることで前記ロックピースを位置変更操作するロックハブと、
これらロックピースとロックハブとを支持し且つ錠ケースに位置調整可能に支持されたアジャスト部材とを備えてなり、
アジャスト部材を位置調整することにより、第１係合部と第２係合部とのスペーシングを調整可能とするのがよい。
【０００７】
また、ロック機構をユニットとして錠ケースに対して着脱自在とするのがよい。
また、アジャスト部材に樹脂製の弾性片を設けると共に、錠ケースに複数の係止部を設け、前記弾性片に、アジャスト部材を位置決めすべく前記係止部に係合し且つアジャスト部材強制的に動かすことにより弾性片が弾性変形して係止部から離脱する被係止部を設け、ラッチボルトを後退させたときに該ラッチボルトが前記弾性片に接当するよう構成するのがよい。
【発明の効果】
【０００８】
本発明によれば、ラッチボルトを後退操作するためのラッチ操作体が係合する第１係合部と、ドアをロックするロック機構を操作するためのロック操作体が係合する第２係合部とのスペーシングを調整可能とすることにより、第１係合部と第２係合部とのスペーシングの異なる数種類のドア錠に変更することができる。
【発明を実施するための最良の形態】
【０００９】
以下、本発明の実施の形態を図面を参照して説明する。
図６において、１はドア２の自由端側に設けられるドア錠である。
なお、以下の説明において、ドア２の厚さ方向を左右方向とし、上下方向及びドア２の厚さ方向に直交する方向を前後方向とすると共に、ドア２の自由端側（可動端側）を前、ドア２の回転端側（ドア枠３にヒンジで枢支される側）を後として説明する。
前記ドア錠１は、図１及び図２に示すように、ドア２の自由端側に彫り込んで取り付けられる錠ケース４と、この錠ケース４の前面から前方に出退自在に突出してドア枠３に設けた受孔５に挿入するラッチボルト６と、このラッチボルト６の後退を規制する（ラッチボルト６を後退不能にロックする）ことでドア２をロックするロック機構７とを備えている。
【００１０】
また、ドア２の前部側の左右両側には、ラッチボルト６を後退操作するためのレバーハンドル８（又はドアノブ等のラッチ操作体）が配置され、各レバーハンドル８は、ドア錠１の側方に位置していてドア２に取付固定された取付座９に左右軸回りに回動操作自在に支持されている。
また、左右一方の取付座９には、ロック機構７を操作するためのロック撮み１０（ロック操作体）が設けられている。
前記錠ケース４は、左右一側面が開放状とされたケース本体１１と、このケース本体１１の開放側の側面を塞ぐカバープレート１２とから主構成されている。
【００１１】
ケース本体１１は、側壁１１ａと、この側壁１１ａの上縁から左右一方に延出された上壁１１ｂと、側壁１１ａの下縁から左右一方に延出された下壁１１ｃと、側壁１１ａの後縁から左右一方に延出された後壁１１ｄと、側壁１１ａから左右一方に延出された前壁１１ｅとを備えており、前壁１１ｅは上壁１１ｂから上方に延出されていると共に下壁１１ｃから下方に延出されている。
ケース本体１１の側壁１１ａ、上壁１１ｂ、下壁１１ｃ、後壁１１ｄ及びカバープレート１２は、ドア２の前面から凹設された収容部内に収容され、ケース本体１１の前壁１１ｅはその上下部がドア２の前面側にネジ止めされている。
【００１２】
また、ケース本体１１の前壁１１ｅの前面には、フロントプレート１４が重ね合わせられ、ケース本体１１の前壁１１ｅと共締めによってドア２に固定されている。
なお、ケース本体１１の前壁１１ｅ及びフロントプレート１４には、ラッチボルト６を突出させるための開口が形成されている。
前記ラッチボルト６は、ケース本体１１の前壁１１ｅ及びフロントプレート１４に形成された開口を介して前方に突出してドア枠３の受孔５に挿入するラッチヘッド１６を有し、該ラッチヘッド１６は、ケース本体１１の前部に設けられたラッチガイド１７に前後方向移動自在に支持されている。
【００１３】
また、ラッチボルト６は、ラッチヘッド１６から後方に向けて延出されたラッチテール１８を有し、このラッチテール１８はケース本体１１の前後上下の中途部に設けられたラッチテールガイド１９に前後方向移動自在に支持されている。
ラッチヘッド１６とラッチテールガイド１９との間には、ラッチテール１８に套嵌されたコイルバネからなるラッチスプリング２１が設けられ、このラッチスプリング２１によってラッチボルト６が前方に付勢されている。
また、ラッチテール１８には、ラッチテールガイド１９の後方側に位置していて、ラッチテールガイド１９の後端側に接当することによりラッチボルト６の必要以上の突出を規制するストッパ部２２が設けられている。
【００１４】
ラッチテール１８の後部側下方には、レバーハブ２３が配置されている。
このレバーハブ２３は、左右方向の軸心を有する円柱状の本体部２４と、この本体部２４から上方に向けて延出された第１レバー２５と、本体部２４から下方に向けて延出された第２レバー２６とを有する。
レバーハブ２３の本体部２４の左右両側には左右方向の軸心を有する支軸部２７が設けられ、各支軸部２７がケース本体１１の側壁１１ａ及びカバープレート１２に形成された円形の軸受孔に内嵌されることにより、レバーハブ２３が錠ケース４に左右方向の軸心回りに回動自在に支持されている。
【００１５】
また、第１レバー２５は、先端側が二股状に形成されていて該二股部分にラッチテール１８の後部側が挿入されていると共に、その先端部がラッチテール１８の後端に設けられた押動部２９に接当している。
また、第２レバー２６は、ラッチボルト６の下方側に配置されたスプリング受け３０の後端側に接当しており、スプリング受け３０は、ケース本体１１の下壁１１ｃと、該下壁１１ｃの上方に設けられたガイド壁３１とによって前後方向に移動自在にガイドされていると共に、該スプリング受け３０とケース本体１１の前壁１１ｅとの間に介装されたコイルバネで構成されたレバー戻しスプリング３２により後方に付勢されている。
【００１６】
また、第２レバー２６の後方側には、該第２レバー２６が接当することでレバーハブ２３の回動を規制するレバーハブ当り３３が設けられている。
前記レバーハブ２３の本体部２４には、該レバーハブ２３の回動中心を軸心とする孔からなる第１係合部３６が左右方向貫通状に形成されている。
この第１係合部３６は、左右のレバーハンドル８を連動連結する断面正方形の棒体からなる角芯３７を挿通するものであり、図７（ｃ）に示すように、角芯３７の一方の相対する二面が上下方向を向く形で該角芯３７が挿通される角孔３８と、図７（ｄ）に示すように、角芯３７の各面が上下方向及び前後方向に対して４５度の角度で交差する方向を向く形で該角芯３７が挿通される角孔３９とが重複した形で形成されていて、２種の形態の角芯３７が挿通可能とされている。
【００１７】
前記レバーハンドル８を下方に揺動操作することにより角芯３７が回動すると共に、これにともなってレバーハブ２３が図１の時計方向（矢示Ａ方向）に回動して第１レバー２５がラッチボルト６後端の押動部２９を後方に押動し、これによってラッチボルト６がラッチスプリング２１の付勢力に抗して後方移動してラッチヘッド１６がドア枠３の受孔５から退避する。
また、このとき第２レバー２６がレバー戻しスプリング３２の付勢力に抗してスプリング受け３０を前方に押動する。
【００１８】
レバーハンドル８の下方への操作力を解除すると、レバー戻しスプリング３２の付勢力によって第２レバー２６がレバーハブ当り３３に接当するまでレバーハブ２３が回動すると共に、ラッチボルト６がラッチスプリング２１の付勢力によって前方に移動してフロントプレート１４から前方に突出する。
なお、ラッチヘッド１６を後方に押圧することにより、ラッチボルト６のみが後方移動するように構成されている。
図１〜図３に示すように、ロック機構７は、本実施の形態では、ケース本体１１の後部側で且つラッチボルト６の上方側に配置されており、ラッチボルト６の後退を規制するロック位置とラッチボルト６の後退を許容するロック解除位置とに位置変更可能なロックピース４０と、このロックピース４０をロック位置とロック解除位置とに保持するロックスプリング４１と、ロック撮み１０によって操作されることで前記ロックピース４０を位置変更操作するロックハブ４２と、これらロックピース４０，ロックスプリング４１及びロックハブ４２とを支持し且つ錠ケース４に上下位置調整可能に支持されたアジャスト部材４３とを備えてなる。
【００１９】
アジャスト部材４３は、ケース本体１１の側壁１１ａ内面に沿うように近接配置（又は接当）された基壁４３ａと、この基壁４３ａの上縁側に前端から後部側に向けて形成された上部壁４３ｂと、基壁４３ａの前部側の下縁側に形成された下部壁４３ｃと、基壁４３ａの後縁側に形成された後部壁４３ｄとを備えている。
また、前記上部壁４３ｂ，下部壁４３ｃ及び後部壁４３ｄは基壁４３ａからカバープレート１２に向けて延出されていて、それらの延出端部がカバープレート１２内面に近接（又は接当）されている。
【００２０】
前記構成のアジャスト部材４３はケース本体１１の側壁１１ａとカバープレート１２との間で挟まれることにより該アジャスト部材４３の左右方向の移動規制がなされている。
また、基壁４３ａの後端側にはケース本体１１の側壁１１ａに向けて突出する上下一対のガイド突起４４が形成されている。
一方、ケース本体１１の側壁１１ａ後端の上部には、上下一対のガイド溝４５が左右方向に貫通形成されており、各ガイド溝４５は、上下方向に長い長方形状で且つ各ガイド突起４４の上下方向の寸法よりも上下方向に長い寸法に形成されており、上側のガイド突起４４が上側のガイド溝４５に上下方向移動自在に挿通され、下側のガイド突起４４が上側のガイド溝４５に上下方向移動自在に挿通されている。
【００２１】
また、アジャスト部材４３の基壁４３ａの前後方向中途部の上部側には、軸受孔４６が左右方向貫通状に形成されていると共に該軸受孔４６の周囲に形成され且つケース本体１１の側壁１１ａに向けて突出する円筒状のボス４７が形成されている。
前記ボス４７は、ケース本体１１の側壁１１ａに形成された上下方向に長い長円状のガイド孔４８に上下動可能に挿入されている。
前記アジャスト部材４３は、ガイド溝４５とガイド突起４４、及び、ボス４７とガイド孔４８によって、前後方向の移動規制がなされると共に、所定範囲で上下方向に移動可能にガイドされる。
【００２２】
また、アジャスト部材４３は樹脂によって形成されていると共に、該アジャスト部材４３には、後部壁４３ｄから下方に一体的に延出された弾性片４９が設けられている。
この弾性片４９の下端側の後面側には半球状の被係止部５０が形成されており、この被係止部５０は、ケース本体１１の後壁１１ｄ自体を後方に向けて凹ませることにより形成された左右方向に長い長円形の係止部５１に嵌合しており、これによってアジャスト部材４３の上下方向の位置決めがなされている。
前記係止部５１は、本実施の形態では、上下方向に３つ並設されている。
【００２３】
また、アジャスト部材４３を強制的に上下に移動させると、弾性片４９が弾性変形して被係止部５０が係止部５１から離脱可能とされている。
したがって、本実施の形態では、アジャスト部材４３を強制的に上下動させて被係止部５０を複数の係止部５１のいずれかに選択的に係合させることにより、該アジャスト部材４３が上下方向３位置に位置決め可能とされている。
また、ラッチボルト６及び錠ケース４が金属製であり且つラッチボルト６を後退させたときにラッチボルト６の後端とケース本体１１の後壁１１ｄとが直接接当するように構成されていると、ラッチボルト６を後退させたときに比較的大きな衝当音が発生するという問題があるが、本実施の形態では、前記弾性片４９がラッチボルト６の後方側に位置していて、該弾性片４９がラッチボルト６を後退させたときに該ラッチボルト６が接当する接当部とされており、ラッチボルト６を後退させたときにラッチボルト６の後端が弾性片４９に接当することにより、衝当音が低減されるよう構成されている。
【００２４】
このため、アジャスト部材４３がいずれの位置にあっても、ラッチボルト６を後退させたときに該ラッチボルト６が弾性片４９に接当するように形成されている。
前記ロックピース４０は、アジャスト部材４３の後部壁４３ｄの前面側で且つアジャスト部材４３に形成された前記軸受孔５の後方側に位置している。
このロックピース４０の、ケース本体側壁１１ａとの対向側には、上下方向に長いガイド凹部５２が形成され、このガイド凹部５２は、アジャスト部材４３の基壁４３ａ内面に設けられたガイド凸部５３に嵌合している。
【００２５】
ガイド凸部５３の上下方向の長さはガイド凹部５２よりも短く、したがって、これらガイド凹部５２とガイド凸部５３とによってロックピース４０が上下方向に所定範囲で移動可能とされている。
ロックピース４０は、その移動域の上端位置では、図２に示すように、突出した状態のラッチボルト６の後端と弾性片４９との間から上方に退避しており、これによりラッチボルト６の後退が許容され、この移動域の上端位置がロック解除位置とされている。
また、ロックピース４０は、その移動域の下端位置では、図４に示すように、突出した状態のラッチボルト６の後端と弾性片４９との間に介在しており、これによりラッチボルト６が後退不能にロックされ、この移動域の下端位置がロック位置とされている。
【００２６】
また、ロックピース４０の、カバープレート１２との対向側の面の上部前部側には、左右方向に凹設されていて前方開放状の凹部５４が形成され、該凹部５４には、さらに左右方向に凹設されていて前方開放状の係合溝５５が形成されている。
前記ロックハブ４２は、ロックピース４０の前方側に配置され、円柱状の本体部５６と、この本体部５６から径方向に延出された第１、２アーム５７，５８とを有する。
このロックハブ４２の本体部５６の左右両側には左右方向の軸心を有する支軸部５９が設けられ、一方の支軸部５９はアジャスト部材４３の基壁４３ａに形成された軸受孔４６に左右方向の軸心廻りに回動自在に内嵌され、他方の支軸部５９はカバープレート１２に左右方向貫通状に形成された軸受孔６１に左右方向の軸心廻りに回動自在に内嵌されており、これによって、ロックハブ４２が左右方向の軸心廻りに回動自在に支持されている。
【００２７】
また、カバープレート１２に形成された前記軸受孔６１は上下方向に長い長円状に形成されており、アジャスト部材４３を上下方向に位置変更させた場合に、ロックハブ４２がアジャスト部材４３とともに上下移動するように構成されている。
また、ロックハブ４２の本体部５６には、該ロックハブ４２の回動中心を軸心とする孔からなる第２係合部６２が左右方向貫通状に形成されている。
この第２係合部６２は、ロック撮み１０の左右軸回りの回動操作によってロックハブ４２を回動操作させるべくロック撮み１０に設けられた角軸６３が嵌め入れられるものであり、図７（ａ）に示すように、正方形に近似した断面形状の角軸６３を内嵌可能な角孔６４と、図７（ｂ）に示すように、縦長矩形状の断面形状の角軸６３を内嵌可能な角孔６５とが重複した形で形成されていて、２種の形態の角軸６３が内嵌可能とされている。
【００２８】
前記第１アーム５７にはロックピース４０の係合溝５５に嵌る円柱状の嵌合部６６が設けられており、ロック撮み１０を回動操作して、ロックハブ４２を回動させることにより、第１アーム５７，嵌合部６６及び係合溝５５を介してロックピース４０が引き上げられ又は引き下げられるよう構成されている。
また、前記第２アーム５８には、カバープレート１２に向けて突出する円柱状のバネ掛部６７が設けられている。
前記ロックスプリング４１は、ネジリコイルバネによって構成され、一端側はロックハブ４２の前記バネ掛部６７に掛止され、他端側はアジャスト部材４３の基壁４３ａ前部にカバープレート１２に向けて突設されたバネ掛部６８に掛止されている。
【００２９】
図２に示すように、ロックピース４０がロック解除位置に位置しているときには、ロックハブ４２の第１アーム５７は後斜め上方に傾斜状とされており、第２アーム５８は前斜め下方に傾斜状とされており、また、ロックハブ４２のバネ掛部６７の前方にアジャスト部材４３の基壁４３ａに設けたバネ掛部６８が位置していると共にロックスプリング４１のコイル部４１ａはバネ掛部６７，６８間の上方に位置しており、ロックスプリング４１はロックピース４０を引き上げる方向にロックハブ４２を付勢しており、第２アーム５８がアジャスト部材４３の基壁４３ａに設けられた下ストッパ６９に接当していることによりロックハブ４２の回動が規制され、これによってロックピース４０がロック解除位置に保持されるように構成されている。
【００３０】
この状態からロック撮み１０を回動させて、ロックハブ４２を図２の時計方向（矢示Ｂ方向）に回動させると、図４に示すように、第１アーム５７が下方揺動してロックピース４０が引き下げられて、該ロックピース４０がロック位置へと位置変更操作される。
このロックピース４０がロック位置に位置しているときには、図４に示すように、ロックハブ４２のバネ掛部６７は、アジャスト部材４３に設けたバネ掛部６８の後斜め上方に位置していて、ロックスプリング４１の付勢力はロックピース４０を引き下げる方向に作用していると共に、第２アーム５８がアジャスト部材４３の基壁４３ａに設けられた上ストッパ７０に接当していることによりロックハブ４２の回動が規制され、これによってロックピース４０がロック位置に保持されるように構成されている。
【００３１】
前記構成のロック機構７にあっては、アジャスト部材４３を上下方向に位置変更させることにより、図２及び図５（ａ），（ｂ）に示すように、ロック機構７全体が上下方向３位置に位置変更可能とされており、ロック機構７を位置変更させることにより、第１係合部３６と第２係合部６２とのスペーシングＳ（第１係合部３６と第２係合部６２の軸心間の距離）が３パターンに調整可能とされている。
したがって、本実施の形態のドア錠１にあっては、１つのドア錠１によって、第１係合部３６と第２係合部６２とのスペーシングＳが異なる３種類のドア錠１に変更することができる。
【００３２】
なお、前記係止部５１を、上下方向に２つ、又は、上下方向に４つ以上並設させて設けて、ロック機構７を上下２位置に位置変更可能、又は、上下４位置以上に位置変更可能に構成してもよい。
また、前記構成のロック機構７にあっては、アジャスト部材４３は、該アジャスト部材４３側のガイド突起４４がケース本体１１側のガイド溝４５に嵌まっていると共にアジャスト部材４３側のボス４７がケース本体１１側のガイド孔４８に嵌っているだけであるので、アジャスト部材４３はケース本体１１に対して容易に着脱でき、このアジャスト部材４３を錠ケース４に対して着脱することにより、ロック機構７が錠ケース４に対してユニットとして着脱自在とされており、ロック機構付き仕様のドア錠１と、ロック機構なし仕様のドア錠１とに、容易に仕様変更できるように構成されている。
【００３３】
また、ロック機構なし仕様のドア錠１にした場合、アジャスト部材４３に一体形成した弾性片４９も一緒に取り外されてしまうこととなる。
そこで、ロック機構なし仕様のドア錠１にした場合は、図８に示すように、ダミープレート７１を装着する。
このダミープレート７１は、樹脂によって一体形成されており、ケース本体１１の側壁１１ａ内面に近接（又は接当）して対向配置された側面壁７１ａと、この側面壁７１ａの後端からカバープレート１２に近接（又は接当）するように該カバープレート１２に向けて延出された背面壁７１ｂと、この背面壁から下方に延出されていてラッチボルト６を後退させたときに該ラッチボルト６が接当する接当部７１ｃと、ケース本体１１の側壁１１ａに形成された下側のガイド溝４５に嵌る嵌合突起７１ｄとから構成されている。
【００３４】
前記構成のダミープレート７１にあっては、ケース本体１１の側壁１１ａとカバープレート１２との間で挟まれることにより左右方向の移動規制がなされると共に、嵌合突起７１ｄは、上下長さ及び前後幅がガイド溝４５と略同寸法に形成されていて、嵌合突起７１ｄがガイド溝４５に嵌合することにより、上下及び前後の移動規制がなされ、これによって、アジャスト部材４３に対してダミープレート７１の位置決めがなされる。
また、前記構成のドア錠１にあっては、カバープレート１２は、該カバープレート１２に形成した切欠部にケース本体１１側に設けたカシメ片７２を嵌め込んで該カシメ片７２をカシメることによってケース本体１１に固定されるように構成されている（なお、カバープレート１２をネジによってケース本体１１に着脱自在に固定するようにしてもよい）。
【００３５】
また、本実施の形態のドア錠１にあっては、弾性片４９に設けた被係止部５０をケース本体１１の後壁１１ｄに設けた被係止部５０に嵌合させることでロック機構７の位置決めをし、且つアジャスト部材４３を強制的に上下動させることにより弾性片４９が弾性変形して被係止部５０が係止部５１から離脱可能とされ、また、被係止部５０が上下方向に関して他の係止部５１と位置が一致すると弾性片４９が復元して被係止部５０が他の係止部５１に嵌り、アジャスト部材４３が他の位置に位置決めされるように構成されているので、第２係合部６２に棒状のものを係合することにより、錠ケース４の外部からアジャスト部材４３を上下動させてロック機構７を位置変更操作することができる。
【００３６】
前記構成のドア錠１は種種設計変更でき、例えば、レバーハブ２３の上方方向の位置を変更可能とすることにより、第１係合部３６と第２係合部６２のスペーシングＳを変更可能としてもよい。
また、本発明は、前記ロック撮み１０によってデッドボルトを操作するタイプのドア錠に採用されてもよい。
【図面の簡単な説明】
【００３７】
【図１】（ａ）はカバープレートを外した状態のドア錠の側面図、（ｂ）はドア錠の背面図である。
【図２】要部の側面図である。
【図３】（ａ）は図２のＸ−Ｘ線矢示断面図、（ｂ）は図２のＹ−Ｙ線矢示断面、（ｃ）は図２のＺ−Ｚ線矢示断面である。
【図４】ラッチボルトをロックした状態を示すロック機構の側面図である。
【図５】ロック機構を位置変更させた態様を示す側面図である。
【図６】ドア錠の取付状態を示す側面図である。
【図７】第１係合部と第２係合部の使用態様を示す側面図である。
【図８】ロック機構を設けない場合のドア錠の内部の側面図である。
【図９】（ａ）は従来のドア錠を示す側面図、（ｂ）はドアにレバーハンドル，ロック撮みを取り付けた状態を示す側面図である。
【符号の説明】
【００３８】
４    錠ケース
６    ラッチボルト
７    ロック機構
８    ラッチ操作体
１０    ロック操作体
３６    第１係合部
４０    ロックピース
４２    ロックハブ
４３    アジャスト部材
４９    弾性片
５０    被係止部
５１    係止部
６２    第２係合部
Ｓ    スペーシング
【図１】
2008285853.tif 000003
【図２】
2008285853.tif 000004
【図３】
2008285853.tif 000005
【図４】
2008285853.tif 000006
【図５】
2008285853.tif 000007
【図６】
2008285853.tif 000008
【図７】
2008285853.tif 000009
【図８】
2008285853.tif 000010
【図９】
2008285853.tif 000011